(57)【要約】  【課題】  長時間、芳香機能を維持できるようにするとともに、構成が簡単で、小型化が可能な芳香性装飾具を提供する。  【解決手段】  指輪本体１１の内部には空洞部１２が形成される。空洞部１２に対して、空洞部１２と連通する開口１３が設けられる。開口１３には、複数の芳香排出孔１５を有する蓋体１４が着脱自在に螺合される。開口１３を外し、開口１３から空洞部１２に液体香料を封入し、蓋体１４を装着する。空洞部１２内に封入された液体香料からの芳香は、蓋体１４の芳香排出孔１５から放出される。【選択図】        図１
0003116544.tif 000002
【実用新案登録請求の範囲】
【請求項１】
芳香を発する機能を備えた芳香性装飾具であって、
装飾具の内部に形成された空洞部と、
前記装飾具の外部と前記空洞部とを連通する開口と、
前記開口に着脱自在に螺合される蓋体とからなり、
前記蓋体に複数の芳香排出孔を形成し、前記空洞部に液体香料を封入し、前記複数の芳香排出孔から前記空洞部の前記液体香料の芳香を放出するようにしたことを特徴とする芳香性装飾具。
【請求項２】
前記蓋体は、複数の芳香排出孔の部分をセラミックスの多孔性焼結材で形成されたことを特徴とする請求項１に記載の芳香性装飾具。
【請求項３】
芳香を発する機能を備えた芳香性装飾具であって、
装飾具の内部に形成された空洞部と、
前記装飾具の外部と前記空洞部とを連通する開口と、
前記開口に着脱自在に螺合される蓋体とからなり、
前記蓋体をセラミックスの多孔性焼結材から形成し、前記空洞部に液体香料を封入し、前記セラミックスの多孔性焼結材が有する微小孔から前記空洞部の前記液体香料の芳香を放出するようにしたことを特徴とする芳香性装飾具。
【請求項４】
前記空洞部に香料吸収材を設け、前記香料吸収材に前記液体香料を含浸させるようにしたことを特徴とする請求項１ないし３のいずれかに記載の芳香性装飾具。
【請求項５】
前記装飾具は、指輪であることを特徴とする請求項１ないし４のいずれかに記載の芳香性装飾具。
【請求項６】
前記装飾具は、ピアスであることを特徴とする請求項１ないし４のいずれかに記載の芳香性装飾具。
【請求項７】
前記装飾具は、ペンダント、ブレスレットおよびバングルであることを特徴とする請求項１ないし４のいずれかに記載の芳香性装飾具。
【考案の詳細な説明】
【技術分野】
【０００１】
本考案は、芳香を発する機能を有する指輪、ピアス、ペンダント、ブレスレットおよびバングル等の芳香性装飾具に関する。
【背景技術】
【０００２】
従来、芳香を発する機能を有する指輪、ピアス、ペンダント等の装飾具として、特許文献１〜特許文献３に示されるようなものが提案されている。
【０００３】
特許文献１の装飾具は、発散量の調節と発散の停止とが任意に行なえる揮散ペンダントであって、収納容器の頂壁には適当な大きさの開口が設けられ、液体は通過させないが気体は通過させる液遮蔽体でこの開口を塞ぎ、さらに、摺動可能な調整板を設け、この調整板により揮散量の調整が行なえるようにしたものである。
【０００４】
特許文献２の装飾具は、少なくとも芳香剤が含浸されて、しかも、金属又は合金の粉末粒子が焼結された多孔性焼結金属からなる基材が開口を有する台座の裏面からその開口中に挿入されて、基材の表面が台座の表面から露出され、台座に対し基材を係止する止め具を台座の裏面に設けて形成されるようにしたものである。
【０００５】
特許文献３の装飾具は、芳香部と保持部が一体となっており、芳香部に香料を滴下することにより、装飾機能と芳香を発する機能とを有するようにしたものである。
【特許文献１】実公昭６２−２２１７５号公報
【特許文献２】実開平１−１４１５０８号公報
【特許文献３】実用新案登録第３１０８４２３号公報
【考案の開示】
【考案が解決しようとする課題】
【０００６】
特許文献１に示される芳香機能を有する装飾具は、摺動可能な調整板を設けることで、揮散量の調整が行なえる。また、収納容器を交換して、異種の揮散液に交換することができる。しかしながら、特許文献１に示されるものでは、摺動可能な調整板や、蝶板により開閉可能な蓋体が必要であり、構造が複雑になるという問題がある。特に、指輪やピアスのような小さな装飾具では、構造が単純で、小型化できることが不可欠であるが、特許文献１に示される構造では微小な装飾具には適用できない問題がある。
【０００７】
特許文献２に示される芳香機能を有する装飾具では、金属又は合金の粉末粒子が焼結された多孔性焼結金属からなる基材に芳香剤を含浸させるようにしている。また、特許文献３に示される芳香機能を有する装飾具では、ステンレス製の多孔性焼結体を芳香部とし、この芳香部に香料を滴下するか、又は香水等の液状香料に身飾具を浸すようにしている。このように、特許文献２及び特許文献３に示される芳香機能を有する装飾具では、香料を多孔性焼結体に含浸させるものであるため、短時間で香料が消費しまうという問題がある。
【０００８】
本考案は、上述の課題を鑑み、長時間、芳香機能を維持できるようにするとともに、構成が簡単で、小型化が可能な芳香性装飾具を提供することを目的とする。
【課題を解決するための手段】
【０００９】
第１の考案は、芳香を発する機能を備えた芳香性装飾具であって、装飾具の内部に形成された空洞部と、装飾具の外部と空洞部とを連通する開口と、開口に着脱自在に螺合される蓋体とからなり、蓋体に複数の芳香排出孔を形成し、空洞部に液体香料を封入し、複数の芳香排出孔から空洞部の液体香料の芳香を放出するようにしたことを特徴とする。
【００１０】
第２の考案は、蓋体が複数の芳香排出孔の部分をセラミックスの多孔性焼結材で形成されたことを特徴とする。
【００１１】
第３の考案は、芳香を発する機能を備えた芳香性装飾具であって、装飾具の内部に形成された空洞部と、装飾具の外部と空洞部とを連通する開口と、開口に着脱自在に螺合される蓋体とからなり、蓋体をセラミックスの多孔性焼結材から形成し、空洞部に液体香料を封入し、セラミックスの多孔性焼結材が有する微小孔から空洞部の液体香料の芳香を放出するようにしたことを特徴とする。
【００１２】
第４の考案は、空洞部に香料吸収材を設け、香料吸収材に液体香料を含浸させるようにしたことを特徴とする。
【００１３】
好ましくは、装飾具は、指輪、ピアス、ペンダント、ブレスレットおよびバングルであることを特徴とする。
【考案の効果】
【００１４】
第１の本考案は、芳香を発する機能を備えた芳香性装飾具であって、装飾具の内部に形成された空洞部と、装飾具の外部と空洞部とを連通する開口と、開口に着脱自在に螺合される蓋体とからなり、蓋体に複数の芳香排出孔を形成し、空洞部に液体香料を封入し、複数の芳香排出孔から空洞部の液体香料の芳香を放出するようにしている。このように、空洞部に液体香料を保持されるため、長時間、芳香を維持することができる。また、開口部に複数の孔を有する蓋体が螺合されるため、蓋体を開口部から容易に着脱でき、液体香料を容易に補充できる。また、空洞部内の液体香料の種類を入れ替えて、違う香りを楽しむことができる。
【００１５】
第２の本考案は、蓋体が複数の芳香排出孔の部分をセラミックスの多孔性焼結材で形成され、空洞部に液体香料を封入し、セラミックスの多孔性焼結材が有する微小孔から空洞部の液体香料の芳香を放出するようにしている。したがって、空洞部に液体香料を保持されるため、長時間、芳香を維持することができる。
【００１６】
第３の本考案は、芳香を発する機能を備えた芳香性装飾具であって、装飾具の内部に形成された空洞部と、装飾具の外部と空洞部とを連通する開口と、開口に着脱自在に螺合される蓋体とからなり、蓋体をセラミックスの多孔性焼結材から形成し、空洞部に液体香料を封入し、セラミックスの多孔性焼結材が有する微小孔から空洞部の液体香料の芳香を放出するようにしている。このように、空洞部に液体香料を保持されるため、長時間、芳香を維持することができる。また、開口部に複数の孔を有する蓋体が螺合されるため、蓋体を開口部から容易に着脱でき、液体香料を容易に補充できる。また、空洞部内の液体香料の種類を入れ替えて、違う香りを楽しむことができる。さらに、セラミックスの多孔性焼結材により生じる孔は、気体は通過するが液体は通過しない大きさのため、空洞部内に直接液体香料を保持することができる。
【００１７】
第４の本考案によれば、空洞部に香料吸収材を設け、香料吸収材に液体香料を浸すようにすることにより、芳香排出孔から液体香料が漏れてしまうことを防止できる。
【００１８】
第５〜第７の本考案によれば、装飾部を、指輪の本体とすることにより、指輪の本体から芳香を発することができる。また、装飾具を、ピアスとすることにより、ピアスから芳香を発することができる。また、装飾具を、ペンダント、ブレスレットおよびバングルとすることにより、ペンダント、ブレスレットおよびバングルから芳香を発することができる。
【考案を実施するための最良の形態】
【００１９】
第１実施形態．
以下、本考案の実施の形態について図面を参照しながら説明する。図１（Ａ）及び図１（Ｂ）は本考案の第１実施形態を示すものである。この実施形態では、芳香を発する機能を有する装飾具として指輪１の例を示している。
【００２０】
図１（Ａ）及び図１（Ｂ）において、指輪１は装飾具としての金属製の指輪本体１１からなり、指輪本体１１の内部には、図２に示すように、空洞部１２が形成される。空洞部１２内には、液体香料が含浸される布やスポンジ等で構成される香料吸収材１６が収納されている。指輪本体１１の外周には、空洞部１２と連通する開口部１３が形成される。開口部１３の内周は螺刻されている。
【００２１】
蓋体１４は例えば中空の金属からなり、図３に示すように、複数の芳香排出孔１５が穿設される。蓋体１４のネジ部１４ａの外周は螺刻されている。
【００２２】
液体香料を注入する場合には、図１（Ａ）に示すように、蓋体１４を外し、開口部１３から液体香料を滴下する。開口部１３から液体香料を滴下すると、この液体香料は、開口部１３から空洞部１２内に入る。空洞部１２内には、図２に示したように、香料吸収材１６が収納されている。このため、滴下された液体香料は、空洞部１２内において香料吸収材１６に含浸されて保持される。
【００２３】
空洞部１２内に液体香料を注入したら、図１（Ｂ）に示すように、開口部１３に蓋体１４を螺着して取り付ける。図３に示したように、蓋体１４は中空になっており、蓋体１４には、複数の芳香排出孔１５が穿設される。したがって、開口部１３に蓋体１４を取り付けると、図４に示すように、空洞部１２内の香料吸収材１６に含浸されていた液体香料は、芳香気体Ａとなって、蓋体１４の芳香排出孔１５から外部に放出される。
【００２４】
このように、本考案の第１実施形態の指輪１は、指輪本体１１の内部に空洞部１２を形成し、指輪本体１１の外周の開口部１３から空洞部１２内に液体香料を封入している。このように、空洞部１２内に液体香料が保持されるため、長時間、芳香を維持することができる。
【００２５】
また、本考案の第１実施形態の指輪１では、空洞部１２と連通する開口部１３が設けられ、この開口部１３に、複数の芳香排出孔１５を有する蓋体１４が螺合される。このため、蓋体１４は、開口部１３から容易に着脱でき、液体香料１７を容易に補充することができる。また、空洞部１２内の液体香料１７の種類を入れ替えて、違う香りを楽しむこともできる。また、液体香料が香料吸収材１６に含浸されるため、液体香料が芳香排出孔１５から漏れることはない。
【００２６】
なお、上述の例では、蓋体１４を金属製としているが、蓋体１４を合成樹脂等で形成するようにしてもよい。また、蓋体１４に装飾加工を施すようにしてもよい。
【００２７】
第２実施形態．
図５は、本考案の第２実施形態における蓋体の構成を示すものである。上述の第１実施形態では、蓋体１４として金属製のものを用い、この金属製の蓋体１４に、複数の芳香排出孔１５を穿設するようにしている。
【００２８】
これに対して、この実施形態では、中空の取付部２１の上部に、セラミックスの多孔性焼結材によるカバー２２を固着して、蓋体１４を形成するようにしている。他の構成については、第１実施形態と同様であり、その説明を省略する。
【００２９】
この実施形態では、前述の第１実施形態と同様に、液体香料を注入する場合には、蓋体１４を外し、開口部１３から液体香料を滴下し、空洞部１２内に液体香料を注入したら、開口部１３に蓋体１４を螺着して取り付ける。空洞部１２内には、図６に示すように、液体香料１７が封入される。蓋体１４の上部のセラミックスのカバー２２には、気体は通過させるが液体は通過させない大きさの小孔が形成される。このため、図６に示すように、空洞部１２内に封入されている液体香料は、芳香気体Ａとなって、蓋体１４のカバー２２に形成される小孔から外部に放出される。
【００３０】
この実施形態では、セラミックスの多孔性焼結材からなるカバー２２に形成される小孔が芳香を発するための芳香排出孔として機能する。このセラミックの多孔性焼結材により発生する小孔は、気体は通過させるが液体は通過させない大きさである。このため、空洞部１２内に直接液体香料１７を保持しておくことができ、空洞部１２に香料吸収材を設ける必要はない。
【００３１】
第３実施形態．
図７は、本考案の第３実施形態における蓋体１４の構成を示すものである。この実施形態では、蓋体１４全体を、セラミックスの多孔性焼結材で形成するようにしている。他の構成については、第１及び第２実施形態と同様であり、その説明を省略する。
【００３２】
この実施形態では、前述の第１及び第２実施形態と同様に、液体香料を注入する場合には、蓋体１４を外し、開口部１３から液体香料を滴下し、空洞部１２内に液体香料を注入したら、開口部１３に蓋体１４を螺着して取り付ける。空洞部１２内には、図８に示すように、液体香料１７が封入される。蓋体１４は多孔性焼結材のセラミックスで形成されており、気体は通過させるが液体は通過させない大きさの小孔が形成される。このため、図８に示すように、空洞部１２内に封入されている液体香料は、芳香気体Ａとなって、蓋体１４に生じている小孔から外部に放出される。
【００３３】
第４実施形態．
図９は、本考案の第４実施形態を示すものである。この実施形態では、芳香を発する機能を有する装飾具としてピアス２の例を示している。
【００３４】
本考案の第４実施形態のピアス２は、図９に示すように、留め具３０と装飾部３１とからなり、装飾部３１の内部に、液体香料を封入するための空洞部３２を形成し、装飾部３１の外側の開口部３３から液体香料を封入し、この開口部３３に、複数の孔を有する蓋体３４を螺合して構成される。
【００３５】
本考案の第４実施形態のピアス２では、液体香料を注入する場合には、蓋体３４を外し、開口部３３から空洞部３２内に液体香料を滴下し、開口部３３に蓋体３４を螺着する。空洞部３２内の液体香料は、芳香気体となって蓋体３４の芳香排出孔３５から外部に放出される。これにより、第３実施形態のピアス２の装飾部３１からは、芳香が発せられる。
【００３６】
第５実施形態．
図１０は、本考案の第５実施形態を示すものである。この実施形態では、芳香を発する機能を有する装飾具としてペンダント３の例を示している。なお、図示はされていないが、ブレスレットおよびバングル等に本考案を適用することもできる。
【００３７】
図１０に示すように、本考案の第４実施形態のペンダント３は、鎖又は紐４０と装飾部４１とからなり、装飾部４１の内部に、液体香料を封入するための空洞部４２を形成し、装飾部４１の外側の開口部４３から液体香料を封入し、この開口部４３に、複数の芳香排出孔を有する蓋体４４を螺合して構成される。
【００３８】
本考案の第５実施形態のペンダント３では、液体香料を注入する場合には、蓋体４４を外し、開口部４３から空洞部４２内に液体香料を滴下し、空洞部４２内に液体香料を注入したら、開口部４３に蓋体４４を螺着する。空洞部４２内の液体香料は、芳香気体となって蓋体４４の芳香排出孔４５から外部に放出される。これにより、第４実施形態のペンダント３の装飾部４１からは、芳香が発せられる。
【００３９】
本考案は、上述した実施形態に限定されるものではなく、本考案の要旨を逸脱しない範囲内で様々な変形や応用が可能である。
【産業上の利用可能性】
【００４０】
本考案は、指輪、ピアス、ペンダント、ブレスレットおよびバングル等の芳香性装飾具に適用することができる。
【図面の簡単な説明】
【００４１】
【図１】本考案の第１実施形態を示す斜視図である。
【図２】本考案の第１実施形態における空洞部の説明に用いる端面図である。
【図３】本考案の第１実施形態における蓋体の説明に用いる斜視図である。
【図４】本考案の第１実施形態における芳香気体の流れの説明に用いる端面図である。
【図５】本考案の第２実施形態における蓋体の説明に用いる斜視図である。
【図６】本考案の第２実施形態における芳香気体の流れの説明に用いる端面図である。
【図７】本考案の第３実施形態における蓋体の説明に用いる斜視図である。
【図８】本考案の第４実施形態における芳香気体の流れの説明に用いる端面図である。
【図９】本考案の第５実施形態を示す斜視図である。
【図１０】本考案の第６実施形態を示す斜視図である。
【符号の説明】
【００４２】
１  指輪
２  ピアス
３  ペンダント
１１  指輪本体
１２  空洞部
１３  開口部
１４  蓋体
１５  芳香排出孔
１６  香料吸収材
１７  液体香料
２１  取付部
２２  カバー
３０  留め具
３１  装飾部
３２  空洞部
３３  開口部
３４  蓋体
３５  芳香排出孔
４０  鎖又は紐
４１  装飾部
４２  空洞部
４３  開口部
４４  蓋体
４５  芳香排出孔
【図１】
0003116544.tif 000003
【図２】
0003116544.tif 000004
【図３】
0003116544.tif 000005
【図４】
0003116544.tif 000006
【図５】
0003116544.tif 000007
【図６】
0003116544.tif 000008
【図７】
0003116544.tif 000009
【図８】
0003116544.tif 000010
【図９】
0003116544.tif 000011
【図１０】
0003116544.tif 000012